(57)【要約】【課題】雨水を貯留し生活用水として利用する装置において、住宅へ設置する場合には多額の設置費がかかり、また設備が高価でメンテナンスにも手が掛かるという問題を解決する。【解決手段】屋根に降った雨水を貯留する為に、雨樋より下方に位置し水洗トイレ貯水タンクよりも上方に設置した自立型のタンクと、流入する雨水をろ過する為にタンク上方に配置したろ過材と、雨樋と雨水貯留タンクを繋ぐ配管が詰まるのを防ぐようにした雨水導入配管と、タンクよりオーバーフローした雨水を下水に接続する配管と、タンクより水洗トイレ用貯水槽へ接続する配管と、その配管途中に設置した貯水液面を検知する検知器と、検知器と連動し決められた水位以下になると開となる上水供給用弁と、雨水タンクから水洗トイレ貯水槽の間に配置された上水供給管からなる雨水利用装置により、設備費も安価で設置スペースも確保し易い。【選択図】図１
2005090210.tif 000002
【特許請求の範囲】
【請求項１】
屋根に降った雨水を貯留する為に、雨樋より下方に位置し水洗トイレ貯水タンクよりも上方に設置した自立型のタンクと、流入する雨水をろ過する為にタンク上方に配置したろ過材と、雨樋と雨水貯留タンクを繋ぐ配管が詰まるのを防ぐ為にろ過材と流入口の間に空間を設けた雨水導入配管と、タンクよりオーバーフローした雨水を放流する配管と、タンクより水洗トイレ用貯水タンクヘ接続する配管と、その分岐配管に設置した貯水液面を検知する検知器と、検知器と連動し設定した水位以下になると開となる上水供給用弁と、雨水タンクもしくは分岐配管に上水を供給する上水供給用配管とからなる雨水利用装置。
【請求項２】
雨水タンク上部に開口を設け、タンク内に殺菌あるいは殺藻材を投入可能にした請求項１に記載の雨水利用装置。
【請求項３】
雨水タンクの素材に銀や銅もしくは亜鉛を含有したメッキを施し、貯水時には銀イオンや銅イオンあるいは亜鉛イオンが溶け出して貯水タンク及び給水配管内の殺菌あるいは殺藻を可能にした請求項１に記載の雨水利用装置。
【請求項４】
タンク上部ろ過層の上に土を盛り植栽を可能にし、タンク内に貯水がある間は浸透材にて貯水部と盛土間をつないで盛土に水分が補充できるようにし、タンク内に貯水が無くなり上水を給水する場合には植栽にも散水するようにした請求項１に記載の雨水利用装置。
【請求項５】
雨水タンク側壁に個々の住宅の外観に合わせた装飾用パネルを設けるようにした請求項１に記載の雨水利用装置。
【発明の詳細な説明】
【発明の詳細な説明】
【技術分野】
【０００１】本発明は、雨水を利用する装置に関する。
【背景技術】
【０００２】雨水を貯留し生活用水として利用する装置としては地下もしくは地上に貯水槽を持ち浄化設備やポンプ等を備えて利用しようとする各設備に給水する装置がある。【０００３】
【特許文献１】特許第３１６１８０２号
【特許文献２】特許第３２８４４０８号
【特許文献３】登録実用新案番号第３０１６７２６号
【発明が解決しようとする課題】
【０００４】特許文献１に記載された発明は、地下や住宅の壁あるいは屋根部分に雨水貯蔵タンクを持ち浄化設備やポンプ等を備えて利用しようとする各設備に給水する構造をとっているが、住宅へ設置する場合には設備が大掛かりとなり、多額の設置費がかかる。また既に建築済みの住宅にこのような雨水利用設備を設置しようとする場合には、雨水貯蔵タンク並びに配管の追設する為に住宅を大きく改造する必要がある。したがってさらに多額の設置費がかかるという問題がある。
【０００５】  特許文献２に記載された発明は、雨水に含まれるゴミ等を除去するろ過装置が無く、流入口から導出パイプまでの間でゴミが詰まると配管内の清掃が必要となる。本発明では貯水パイプが５本以上に分かれておりゴミの詰まる可能性のある場所が多数ある為、一端ゴミが詰まると先ず貯えられた雨水を抜き多数の配管を外して詰まった場所を見つけた後に清掃しなくてはならないという問題がある。雨水の中には枯葉などが混入する可能性が高く、頻繁に詰まる可能性がある。
【０００６】  特許文献３に記載された発明は、貯水タンクが住宅の壁面に固定されている為、貯水槽の重量を住宅の壁面だけで支持する必要がある。そのため貯水槽本体と貯水槽を住宅壁面と固定する部分の強度を大きくしなければならないと共に、住宅の固定部分においても常時大きな荷重が負荷されることになる。従って既に建築済みの住宅にかかる雨水利用設備を追設しようとする場合には補強の為に大きな改造が必要となりコストがかかる。また場合によっては強度面からタンク容量が制限されるという問題がある。
【課題を解決する為の手段】
【０００７】このような課題を解決する為、屋根に降った雨水を貯留する為に、雨樋より下方に位置し水洗トイレ貯水タンクよりも上方に設置した自立型のタンクと、流入する雨水をろ過する為にタンク上方に配置したろ過材と、雨樋と雨水貯留タンクを繋ぐ配管が詰まるのを防ぐ為にろ過材と流入口の間に空間を設けた雨水導入配管と、タンクよりオーバーフローした雨水を下水に接続する配管と、タンクより水洗トイレ用貯水タンクへ接続する配管と、その配管途中に設置した貯水液面を検知する検知器と、検知器と連動し設定した水位以下になると開となる上水供給用弁と、雨水タンクもしくは分岐配管に上水を供給する上水供給用配管からなる雨水利用装置により、ポンプ等の設備も不要でメンテナンスも容易となり既に建っている住宅に追設する場合の雨水タンクの設置及びスペースも確保し易い事を特徴とした。
【発明を実施するための最良の形態】
【０００８】以下本発明の実施の形態について図面に基いて説明する。
図１は雨水利用装置の正面図、図２は同側面図である。
貯水タンク１は雨樋より下方で水洗トイレ貯水タンク９よりも上方に設置する為、住宅の軒の位置に設置することが可能で、地面の上に置くよりも邪魔にならず設置スペースが確保し易い。また自立型の為、住宅が既に建てられている場合でも住宅の柱もしくは壁に過大な荷重を負荷することが無く、補強等が不要で容易に追設する事ができる。ここで自立型の貯水タンクとはタンク構造部材と貯留水の重量を支持する柱を持った構造のタンクで、図１に示すように住宅の軒の部分に設置したり、柱で自立したガレージの天井部分をタンクとして利用したものである。
屋根に降った雨水は雨樋から配管３を経由してろ過材２の上方に流入する。流入口とろ過材の間は空間を設け、雨水と共に流入するゴミ等により配管が詰まるのを防ぐ事ができる。ゴミ等を除去された雨水は貯水タンク１の貯水部１ａに貯えられる。タンクにはオーバーフローした雨水を下水等に放流する為の配管４と、タンクより水洗トイレ用貯水槽へ接続する配管５が接続されている。タンクに貯まった雨水は水位の高低差がある為、水洗トイレの貯水タンクに装備されている流入水を自動開閉する弁の作用によって水洗トイレの貯水タンクへ注水される。水位の高低差による圧力によって注水する為、注水する為のポンプやポンプを起動する為のセンサー等の設備が不要であり、故障も少なくメンテナンスも少なくて済む。貯留された雨水が消費され水位が下がると流入管の途中に装備した水位検出器６により上水の弁７が開き上水が注水される。タンクから流入配管の間に枝管を設けその上方の開口部より注水したり  あるいは雨水タンク上方より注水することで雨水との切換弁等が不要であり、また上水と雨水が接触する事も無い為、衛生上も問題は無い。【０００９】  タンク内の雑菌や藻類の繁殖を防ぐ為にタンク上部に一部開口を設け、袋詰めにした殺菌もしくは殺藻剤を投入する事ができるような構造になっている。紐で縛った袋を投入する事で、効果の無くなった殺菌もしくは殺藻剤を容易に交換できる。あるいは銀イオンや銅イオンあるいは亜鉛イオンには殺菌や殺藻効果が有ることが知られているが、タンク内壁の素材として銀や銅もしくは亜鉛を含有したメッキ等を施すことによって、貯水時には銀イオンや銅イオンあるいは亜鉛イオンが水に溶け出して貯水タンク及び給水配管内の殺菌あるいは殺藻に利用することができる。【００１０】  さらにろ過材の上に盛土をし、園芸植物を植える事により装飾も可能となる。盛土への給水は貯水タンクに水が有るときには、浸透材により盛土部分へ水が含浸するようにし、貯水タンクに水がなくなり上水により給水が必要となった場合には上水給水管より分岐した散水管より散水する。給水が必要な期間はおのずと降水量が少なく散水が必要な時期と一致するので植栽が枯れることがなく、また盛土に浸透した散水は貯水タンクに回収される。また散水量は散水管途中に設置した弁の開度により調整することもできる。貯水タンクの外観に関しては、建物の外観に合わせ装飾用のカバーをタンク壁面に取り付ける事ができる。
【発明の効果】
【００１１】本発明の雨水利用装置は、屋根に降った雨水を貯留する為に、雨樋より下方に位置し水洗トイレ貯水タンクよりも上方に設置した自立型のタンクと、流入する雨水をろ過する為にタンク上方に配置したろ過材と、雨樋と雨水貯留タンクを繋ぐ配管が詰まるのを防ぐ為にろ過材と流入口の間に空間を設けた雨水導入配管と、タンクよりオーバーフローした雨水を下水に接続する配管と、タンクより水洗トイレ用貯水タンクヘ接続する配管と、その配管途中に設置した貯水液面を検知する検知器と、検知器と連動し決められた水位以下になると開となる上水供給用弁と、雨水タンクもしくは分岐配管に上水を供給する上水供給用配管からなり、設備費も安価でメンテナンスが容易であり既に建っている住宅に追設する場合の設置及びスペースも確保し易いという効果を有する。
【図面の簡単な説明】
【００１２】
【図１】雨水利用装置の正面図
【図２】雨水利用装置の側面図
【符号の説明】
１：貯水タンク
２：ろ過剤
３：流入配管
４：放流配管
５：水洗トイレ接続配管
６：水位検出器
７：上水給水弁
８：上水給水用配管
９：水洗トイレ貯水タンク
１０：盛土
１１：支持柱
【図１】
2005090210.tif 000003
【図２】
2005090210.tif 000004